(57)【要約】【課題】手の痛みの緩和効果が確実に得られ、把持しやすい運搬用把手を提供する。【解決手段】手入穴１１とその上縁に繋がる折返片１２とが形成され、折返片１２に臨む下罫線１３と、下罫線１３に対して中程で間隔が広がる上罫線１４とが刻設され、下罫線１３と上罫線１４の間が額縁１５になり、手入穴１１に手を入れ、折返片１２を押し込んで、下罫線１３及び上罫線１４を折れ曲がらせ、額縁１５に手を掛けて持ち上げる運搬用把手において、下罫線１３と上罫線１４の両端の交点間又はその両端からの延長線の交点間を結ぶ基準線Ｌに対して、下罫線１３の最大変位量ｄ１よりも上罫線１４の最大変位量ｄ２が大きくなっているものとする。折返片１２を押し込むと、最初に下罫線１３が折れ曲がり、続いて上罫線１４が折れ曲がるので、片折れが生じにくい。【選択図】図３
0003216583.tif 000002
【実用新案登録請求の範囲】
【請求項１】
手入穴(11)とその上縁に繋がる折返片(12)とが形成され、前記折返片(12)に臨む下罫線(13)と、前記下罫線(13)に対して中程で間隔が広がる上罫線(14)とが刻設され、前記下罫線(13)と前記上罫線(14)の間が額縁(15)になり、
前記手入穴(11)に手を入れ、前記折返片(12)を押し込んで、前記下罫線(13)及び前記上罫線(14)を折れ曲がらせ、前記額縁(15)に手を掛けて持ち上げる運搬用把手において、
前記下罫線(13)と前記上罫線(14)の両端の交点間又はその両端からの延長線の交点間を結ぶ基準線(L)に対して、前記下罫線(13)の最大変位量(d1)よりも前記上罫線(14)の最大変位量(d2)が大きくなっていることを特徴とする運搬用把手。
【請求項２】
前記上罫線(14)の最大変位量(d2)は、前記下罫線(13)の最大変位量(d1)の１．５倍から２．０倍になっていることを特徴とする請求項１に記載の運搬用把手。
【請求項３】
前記下罫線(13)と前記上罫線(14)は、それぞれ両端から前記基準線(L)に対して最大変位量(d1,d2)となる部分へかけて相反する方向へ傾斜した直線とされ、前記額縁(15)が菱形状になっていることを特徴とする請求項１又は２に記載の運搬用把手。
【請求項４】
前記折返片(12)から前記額縁(15)にかけて、前記下罫線(13)と前記上罫線(14)とが前記基準線(L)に対して最大変位量(d1,d2)となる部分を通るように、縦罫線(17)が刻設されていることを特徴とする請求項１乃至３のいずれかに記載の運搬用把手。
【考案の詳細な説明】
【技術分野】
【０００１】
この考案は、段ボール箱などに形成される運搬用の把手に関するものである。
【背景技術】
【０００２】
近年、量販店における段ボール箱単位での販売やネット通販の普及により、一般消費者が重量のある商品を収納した段ボール箱を運搬する機会が増えており、従来にも増して、持ちやすく手にやさしい把手形状が求められている。
【０００３】
ここで、一般的な把手は、図５に示すように、段ボール箱の側壁５１を切り込んで長円状の手入穴５２とその上縁に繋がる折返片５３とを形成し、折返片５３の基部に１本の罫線５４を刻設したものとされている。この把手では、段ボール箱を運搬する際、手入穴５２に手を入れ、折返片５３を押し込んで、罫線５４を折れ曲がらせ、罫線５４に沿った折曲部に手を掛けて持ち上げる。
【０００４】
ところが、上記のような把手では、内容品が重い場合、鋭い稜部をなす罫線５４に沿った折曲部に手が当たるので、手が痛く感じることがある。
【０００５】
その対策として、下記特許文献１では、図６（６Ａ）に示すように、折返片５３に臨んで下向きに膨出した弧状の下罫線５５と、下罫線５５に対して中程で間隔が広がるように上向きに膨出した弧状の上罫線５６とを刻設し、下罫線５５と上罫線５６の間に額縁５７を形成した把手が提案されている。
【０００６】
この把手において、下罫線５５と上罫線５６の両端（又は両端からの延長線）の交点間を結ぶ基準線Ｌに対して、下罫線５５の最大変位量ｄ１と上罫線５６の最大変位量ｄ２とは等しくなっている。
【０００７】
上記のような把手を備えた段ボール箱を運搬する際には、図６（６Ｂ）に示すように、手入穴５２に手を入れ、折返片５３を押し込んで、下罫線５５及び上罫線５６を折れ曲がらせ、額縁５７に手を掛けて持ち上げる。このとき、ある程度の幅を有する額縁５７が手に当たるので、段ボール箱の内容品の荷重が作用しても、手が痛くなりにくい。
【先行技術文献】
【特許文献】
【０００８】
【特許文献１】特開２００２−３６２５３７号公報
【考案の概要】
【考案が解決しようとする課題】
【０００９】
しかしながら、上記特許文献１に記載の把手では、折返片５３を押し込んだとき、下罫線５５と上罫線５６のうち、いずれか一方のみが折れ曲がる片折れが生じ、折れ曲がった部分が鋭い稜部を形成して、手の痛みを緩和する効果が十分に得られないことがある。
【００１０】
また、折返片５３を側壁５１の裏側へ深く押し込まなければ、額縁５７の端縁の稜部をなす下罫線５５と上罫線５６とが共に折れ曲がった形状にならず、手が滑って把持しにくいという問題もある。
【００１１】
そこで、この考案は、手の痛みの緩和効果が確実に得られ、把持しやすい運搬用把手を提供することを課題とする。
【課題を解決するための手段】
【００１２】
上記のような課題を解決するため、この考案は、手入穴とその上縁に繋がる折返片とが形成され、前記折返片の基部に臨む下罫線と、前記下罫線に対して中程で間隔が広がる上罫線とが刻設され、前記下罫線と前記上罫線の間が額縁になり、
前記手入穴に手を入れ、前記折返片を押し込んで、前記下罫線及び前記上罫線を折れ曲がらせ、前記額縁に手を掛けて持ち上げる運搬用把手において、
前記下罫線と前記上罫線の両端の交点間又はその両端からの延長線の交点間を結ぶ基準線に対して、前記下罫線の最大変位量よりも前記上罫線の最大変位量が大きくなっているものとしたのである。
【００１３】
また、前記上罫線の最大変位量は、前記下罫線の最大変位量の１．５倍から２．０倍になっているものとしたのである。
【００１４】
そして、前記下罫線と前記上罫線は、それぞれ両端から前記基準線に対して最大変位量となる部分へかけて相反する方向へ傾斜した直線とされ、前記額縁が菱形状になっているものとしたのである。
【００１５】
また、前記折返片から前記額縁にかけて、前記下罫線と前記上罫線とが前記基準線に対して最大変位量となる部分を通るように、縦罫線が刻設されているものとしたのである。
【考案の効果】
【００１６】
この考案に係る把手では、折返片を押し込むと、最初に下罫線が折れ曲がり、続いて上罫線が折れ曲がるので、片折れが生じにくく、下罫線と上罫線が鋭い稜部を形成しないことから、手の痛みを緩和する効果が十分に得られる。
【００１７】
また、折返片を深く押し込まなくても、下罫線と上罫線とが共に折れ曲がるので、額縁に手を掛けて把持でき、段ボール箱等を容易に運搬できる。
【図面の簡単な説明】
【００１８】
【図１】この考案の実施形態に係る把手を備えた段ボール箱の組立状態を示す斜視図
【図２】同上のブランクを示す裏面図
【図３】同上の把手の（３Ａ）使用前の状態を示す裏面図、（３Ｂ）使用時の状態を示す斜視図
【図４】同上の把手の（４Ａ）下罫線と上罫線を弧状にした実施形態、（４Ｂ）下罫線と上罫線の中間部を平行にした実施形態、（４Ｃ）手入穴の下部に抜穴がある実施形態をそれぞれ示す裏面図
【図５】従来の一般的な把手を備えた段ボール箱の部分斜視図
【図６】特許文献１に記載の把手の（６Ａ）使用前の状態を示す裏面図、（６Ｂ）使用時の状態を示す斜視図
【考案を実施するための形態】
【００１９】
以下、この考案の実施形態を添付図面に基づいて説明する。
【００２０】
図１に示す段ボール箱は、Ａ式と呼ばれる溝切型（JIS Z 1507の0201形式）であり、図２に示すようなブランクから組み立てられる。
【００２１】
この段ボール箱においては、各一対の幅面の側壁１及び長さ面の側壁２が継代３を介し継ぎ合わされて、角筒状の周壁が形成され、側壁１の上端及び下端からそれぞれ延出された内フラップ４と、側壁２の上端及び下端からそれぞれ延出された外フラップ５とが順次折り重ねられて、底面及び天面が閉止される。そして、一対の幅面の側壁１の上部に、この考案に係る把手が設けられている。
【００２２】
この把手は、図３（３Ａ）に示すように、手入穴１１とその上縁に繋がる折返片１２になる部分とが切込により形成され、折返片１２の基部に臨む下罫線１３と、下罫線１３に対して中程で間隔が広がる上罫線１４とが刻設され、下罫線１３と上罫線１４の間が額縁１５になるものとされている。
【００２３】
手入穴１１の下縁となる切目線には、ブランクの製造工程や組立工程、商品の輸送過程等で手入穴１１が不意に開口しないように、複数の繋部が設けられている。
【００２４】
また、把手を使用した運搬に際し、手入穴１１の上縁両端から側壁１が裂けにくくなるように、折返片１２の基部両端から額縁１５へ切れ込んで内側へ巻くような切目１６が入れられている。
【００２５】
そして、下罫線１３と上罫線１４の両端（図示の例では、下罫線１３と上罫線１４の両端からの延長線）の交点間を結ぶ基準線Ｌに対して、下罫線１３の最大変位量ｄ１よりも上罫線１４の最大変位量ｄ２が大きくなっている。
【００２６】
具体的には、上罫線１４の最大変位量ｄ２は、下罫線１３の最大変位量ｄ１の１．５倍から２．０倍の範囲の大きさとなっている。
【００２７】
また、下罫線１３と上罫線１４は、両端から基準線Ｌに対して最大変位量ｄ１，ｄ２となる中央部へかけて相反する方向へ傾斜した直線とされ、額縁１５が上下非対称の菱形状となっている。
【００２８】
そのほか、折返片１２から額縁１５にかけて、下罫線１３と上罫線１４の中央部を通る線上に、縦罫線１７が刻設されている。
【００２９】
ここで、下罫線１３，上罫線１４及び縦罫線１７は、段ボールを裏面側から押圧した押罫線とされている。
【００３０】
このような把手を使用して段ボール箱を運搬する際には、図１及び図３（３Ｂ）に示すように、折返片１２を押し込んで、手入穴１１の下縁の切目線の繋部を破断させ、これにより開口した手入穴１１に手を入れ、下罫線１３及び上罫線１４の折れ曲がりに伴い、折返片１２を上方へ揺動させ、額縁１５に手を掛けて持ち上げる。
【００３１】
上記のような把手では、折返片１２を押し込むと、最初に下罫線１３が折れ曲がり、続いて上罫線１４が折れ曲がるので、片折れが生じにくく、また、縦罫線１７に抵抗力が逃げることで、下罫線１３及び上罫線１４が折れ曲がりやすくなり、下罫線１３と上罫線１４が鋭い稜部を形成しないことから、手の痛みを緩和する効果が十分に得られる。
【００３２】
また、内容品と側壁１との隙間が少ない場合、折返片１２をあまり深く押し込むことができないが、このような場合でも、下罫線１３と上罫線１４とが共に折れ曲がるので、額縁１５に手を掛けて把持でき、段ボール箱を容易に運搬できる。
【００３３】
ところで、上記実施形態に係る把手では、下罫線１３と上罫線１４が両端から中央部へかけて相反する方向へ傾斜した直線とされ、額縁１５が菱形状をなすものを例示したが、図４（４Ａ）に示すように、下罫線１３を下向きに膨出した弧状とし、上罫線１４を上向きに膨出した弧状として、額縁１５が凸レンズ状をなすものとしてもよい。
【００３４】
また、図４（４Ｂ）に示すように、下罫線１３と上罫線１４の中間部を平行にし、その両側方を傾斜した直線又は曲線（図示省略）としてもよい。この場合、縦罫線１７は、下罫線１３と上罫線１４の中間の平行部分の両端をそれぞれ通るものとすればよい。
【００３５】
そのほか、図４（４Ｃ）に示すように、手入穴１１の上下方向の寸法よりも折返片１２の上下方向の寸法を短く設定して、折返片１２を押し込む前から、手入穴１１の下部に抜穴が開口しているものとしてもよい。
【００３６】
なお、上記実施形態では、一対の幅面の側壁１にのみ把手が設けられたものを例示したが、これに加えて、又はこれに替えて、一対の長さ面の側壁２に上記のような構成の把手を設けるようにしてもよい。
【００３７】
また、いわゆるＡ式の段ボール箱について例示したが、上記のような構成の把手は、底壁の周囲各辺から側壁が起立するいわゆる奴式の紙箱や、商品を巻き込むように包装するラップラウンド式の紙箱等、種々の形態の紙箱に適用できるほか、板紙の単紙や合紙を材料とする紙箱にも適用できる。さらに、紙箱以外の段ボール製家具や什器等の各種紙器のほか、プラスチック等のシート材を材料とするものにも適用することができる。
【符号の説明】
【００３８】
１，２  側壁
３  継代
４  内フラップ
５  外フラップ
１１  手入穴
１２  折返片
１３  下罫線
１４  上罫線
１５  額縁
１６  切目
１７  縦罫線
Ｌ  基準線
ｄ１，ｄ２  最大変位量
【図１】
0003216583.tif 000003
【図２】
0003216583.tif 000004
【図３】
0003216583.tif 000005
【図４】
0003216583.tif 000006
【図５】
0003216583.tif 000007
【図６】
0003216583.tif 000008